(57)【要約】荷物キャリヤ（１）とともに使用され、それを用いて、荷物キャリヤが、装着装置（６）によって、車両の、主として屋根（７）の上に装着された荷物キャリヤバー（５）に取付けられた固定装置（４）であって、該固定装置が、荷物キャリヤバー上に置かれるように設計された原則的に平面（９）の基部（８）と、荷物キャリヤバーを囲み、第１の端部において、揺動構成（１２）を用いて基部に揺動可能に係合され、第２の端部において、荷物キャリヤバーの周わりに、クランピングヨークを締付ける目的で、締付装置（１５）によって基部に取付けられた、クランピングヨーク（１０）と、を備える固定装置（４）において、クランピングヨーク（１０）には荷物キャリヤバー（５）と係合するための弓形の接触領域（２１）が設けられた（図１０）、固定装置。
2006502044.tif 000002
【特許請求の範囲】
【請求項１】
荷物キャリヤ（１）とともに使用され、それを用いて、荷物キャリヤが、装着装置（６）によって、車両の、主として屋根（７）の上に装着された荷物キャリヤバー（５）に取付けられた固定装置であって、該固定装置が、荷物キャリヤバー上に置かれるように設計された原則的に平面（９）の基部（８）と、荷物キャリヤバーを囲み、第１の端部において、揺動構成（１２）を用いて基部に揺動可能に係合され、第２の端部において、荷物キャリヤバーの周わりに、クランピングヨークを締付ける目的で、締付装置（１５）によって基部に取付けられた、クランピングヨーク（１０）と、を備える固定装置（４）において、クランピングヨーク（１０）には荷物キャリヤバー（５）と係合するための弓形の接触領域（２１）が設けられていることを特徴とする、固定装置（４）（図１０）。
【請求項２】
接触領域（２１）が円形であることを特徴とする、請求項１に記載の固定装置（図９）。
【請求項３】
接触領域（２１）が尖状のアーチ形状であることを特徴とする、請求項１に記載の固定装置（図１１）。
【請求項４】
クランピングヨーク（１０）が荷物キャリヤバーの周わりに固定された時に、接触領域が、基部（８）と基部（８）から最も離れたところにある荷物キャリヤバー（５）上の点との接線（Ａ−Ａ）との間にそれぞれ位置した点で、開始し終了することを特徴とする、請求項１〜３のいずれかに記載の固定装置。
【発明の詳細な説明】
【技術分野】
【０００１】
本発明は、荷物キャリヤとともに使用され、それを用いて、荷物キャリヤが、装着装置によって、車両の、主として屋根の上に装着された荷物キャリヤバーに取付けられた固定装置であって、該固定装置が、荷物キャリヤバー上に置かれるように設計された原則的に平面の基部と、荷物キャリヤバーを囲み、第１の端部において、基部と揺動可能に係合され、第２の端部において、荷物キャリヤバーの周わりに、クランピングヨークを締付ける目的で、締付装置によって基部に取付けられた、クランピングヨークと、を備える、固定装置に関する。
【背景技術】
【０００２】
記載された種類の固定装置は既知であり、種々の設計で入手できる。しかしながら、これらの既存の設計の欠点は、固定装置の荷物キャリヤバーへの堅くかつ安定した取付けを保証するために、クランピングヨークが荷物キャリヤバーに適合するように設計されていなければならないことである。種々の設計の荷物キャリヤバーが市場で入手できるから、このことは、多数の異なる固定装置が入手できなければならないことを意味する。これにより、荷物キャリヤが貸し出された場合に容易に起こるものであるが、特定の荷物キャリヤバーに設計されたのではない固定装置を使用することによって、荷物キャリヤが荷物キャリヤバーに取付けられ、最悪の場合には荷物キャリヤが荷物キャリヤバーから外れることがある、という危険を生じさせる。
【発明の開示】
【発明が解決しようとする課題】
【０００３】
よって、本荷物キャリヤバーの設計と無関係に荷物キャリヤバーに安全に取付可能であるように設計された、はしがきで記載された種類の固定装置に対するニーズが存在する。
【課題を解決するための手段】
【０００４】
本発明は、はしがきで記載された種類の、クランピングヨークに荷物キャリヤバーと係合するための弓形の接触領域が設けられたことを特徴とする、固定装置によって、上記の問題を克服する。また、本発明は、接触領域が円形であることを特徴とする。
【０００５】
本発明は、さらに、接触領域が尖状アーチ形状（ｐｏｉｎｔｅｄ  ａｒｃｈ  ｓｈａｐｅ）であることを特徴とする。
【０００６】
本発明は、さらにまた、クランピングヨークが荷物キャリヤバーの周わりに固定された時に、クランピングヨークの接触領域が、基部と基部から最も離れたところにある荷物キャリヤバー上の点の接線との間にそれぞれ位置した点で、開始し終了することを特徴とする。
【０００７】
本発明を、以下、添付の図面を参照して説明する。
【発明を実施するための最良の形態】
【０００８】
図１及び２は、その上に自転車２が搭載された荷物キャリヤ１を示す。荷物キャリヤ１には、荷物キャリヤ１を荷物キャリヤバー５に取付けるための固定装置４が既知の方法で接続されたレール３が設けられている。図１に概略的に示すように、荷物キャリヤバー５は、装着装置６によって、車両の屋根７の上に装着されている。
【０００９】
本発明による固定装置が、図３〜６に詳細に示されている。これらの図は、レール３の一部も示している。レール３は、当業者には既知の方法で固定装置に取り付けられているが、本発明では重要でないため、下記では説明しない。固定装置には、原則として平面９を有し、荷物キャリヤバー上に置かれている基部８が設けられている。図に示される荷物キャリヤバーは矩形の断面を有するが、本発明は荷物キャリヤバーの断面と無関係である。基部８には、クランピングヨーク（ｃｌａｍｐｉｎｇ  ｙｏｋｅ）１０が設けられている。一端部１１において、クランピングヨークが、ピボットピン１３から成る揺動構成（ｐｉｖｏｔ  ａｒｒａｎｇｅｍｅｎｔ）１２によって、基部８に揺動可能に接続されている。ピボットピン１３は、Ｕ字状に形成されているクランピングヨーク１０の一部から成り、基部８内に形成されたクレードル（受け台）１４内に載置されている。第２の端部において、クランピングヨーク１０が、締付装置１５によって、基部に取付けられている。締付装置１５は、クランピングヨーク１０内の形成された窪み１８内で係合する鉤状の端部１７を有するプルロッド（ｐｕｌｌ  ｒｏｄ）１６から成る。鉤状の端部の反対側の端部１９では、プルロッド１６がレバー構成（ｌｅｖｅｒ  ａｒｒａｎｇｅｍｅｎｔ）２０に揺動可能に取り付けられており、これにより、プルロッドが既知の方法で基部１８に近づいたり離れたりする方向に移動可能になり、クランピングヨーク１０がプルロッドと係合した時に、後で述べる方法で荷物キャリヤバー５の周わりに締付けられるようにする。クランピングヨーク１０には接触領域２１が設けられている。接触領域２１はアーチ形状であり、クランピングヨークが基部に締付けられた時に、荷物キャリヤバーとクランピングヨークとの間の接触が、接触領域に沿って生じる。図６の一点鎖線Ａ−Ａは基部から最も離れたところに位置する荷物キャリヤバー５上の点の接点を示し、見てわかるように、クランピングヨークが基部８に締付けられた時に、クランピングヨークの接触領域は、基部と接線Ａ−Ａとの間に位置する点で開始し終了する（図６参照）。
【００１０】
荷物キャリヤバー５の変形例が、図７及び８に示されており、クランピングヨークは、図６に示すような締付けられた位置に対応する位置にあり、この場合においてもわかるように、クランピングヨークの接触領域は、接線Ａ−Ａと基部８との間に位置する点で開始し終了する。
【００１１】
図９〜１０は、クランピングヨーク１０の異なる変形例を示す。図９では、クランピングヨークの接触領域は、円形である。図１０では、それぞれ半径「Ｒ」及び「ｒ」によって示されるように、図の左側の接触領域は図の右側の領域に比べて半径が小さい。それゆえ、接触領域は弓形（ｂｏｗ−ｓｈａｐｅｄ）であり、それに対し図１１では、接触領域は尖状のアーチ形状である。図からはっきりとわかるように、示された異なる変形例もまた、基部８と接線Ａ−Ａとの間に位置する点で開始し終了する接触領域が設けられている。
【００１２】
固定装置の作用を、図１〜６を参照して以下説明する。荷物キャリヤ１を荷物キャリヤバー５に装着するために、荷物キャリヤは荷物キャリヤバーの上に持ち上げられ、それぞれの固定装置の基部が荷物キャリヤバーの上に置かれる。この点において、クランピングヨーク１０は、図３に示す方法で、プルロッド１６から分離されている。次に、クランピングヨーク１０がプルロッド１６に接続され（図４参照）、図５及び６に示すような方法でレバー構成２０を揺動させ、クランピングヨーク１０をピボット点１２周わりに回転させ、移動させて基部８と接触させる。図５に示すように、最初に、クランピングヨークはピボット点１２に最も近い位置にある荷物キャリヤバーの側面と接触し、当業者には明らかであるが、クランピングヨークを図６に示す位置に締付けるために、荷物キャリヤバーが基部８と相対的な図５の左側に移動するように、基部と荷物キャリヤバーとの間の相対移動が生じなければならず、これは、荷物キャリヤ全体を動かすか、又はレール３に沿って基部を動かすかのいずれかによって実現可能である。クランピングヨークが図６に示す位置に締付けられると、荷物キャリヤバーの形状と無関係に、該構成は荷物キャリヤバーに確実に固定される。
【００１３】
図に示すように、種々のクランピングヨークの接触領域は、クランピングヨークの全長に沿って延在するように設計されている。しかしながら、上述のように、接触領域が、基部と基部から最も離れたところに位置する荷物キャリヤバーの点の接線との間にそれぞれ位置する点で、開始し終了していれば、十分である。
【図面の簡単な説明】
【００１４】
【図１】車両の屋根に装着された荷物キャリヤバーに取付けられた荷物キャリヤを示す概略図である。
【図２】荷物キャリヤバーに取付けられた荷物キャリヤを斜め上から見た概略図である。
【図３】本発明による固定装置の、全開位置における詳細図である。
【図４】クランピングヨークが締付装置に接続された、図３に対応する図である。
【図５】締付装置がクランピングヨークを締付けて荷物キャリヤバーに部分的に接触させた、図３に対応する図である。
【図６】締付装置が完全に締付けられた位置にある図である。
【図７】他の荷物キャリヤバーの輪郭を示す図である。
【図８】他の荷物キャリヤバーの輪郭を示す図である。
【図９】本発明が適用される他のクランピングヨークを示す図である。
【図１０】本発明が適用される他のクランピングヨークを示す図である。
【図１１】本発明が適用される他のクランピングヨークを示す図である。
【図１】
2006502044.tif 000003
【図２】
2006502044.tif 000004
【図３】
2006502044.tif 000005
【図４】
2006502044.tif 000006
【図５】
2006502044.tif 000007
【図６】
2006502044.tif 000008
【図７】
2006502044.tif 000009
【図８】
2006502044.tif 000010
【図９】
2006502044.tif 000011
【図１０】
2006502044.tif 000012
【図１１】
2006502044.tif 000013
【国際調査報告】
2006502044.tif 000014
2006502044.tif 000015